(57)【要約】【課題】留め具の取付構造に関し、取付対象物を傷めることがないようにする。【解決手段】留め具200,210は、スリット311を備えた台座300に取付片202,212を介して取り付けられ、台座300は、取付片202,212が存する側が取付対象物に接着され、取付片202,212と取付対象物との間に介在部材（例えば折り返し片320）が介在される。【選択図】図１
2010284178.tif 000002
【特許請求の範囲】
【請求項１】
取付片を備え、取付対象物に設けられたスリットに当該取付片が挿通されて当該取付対象物に取り付けられる留め具の取付構造であって、
留め具は、スリットを備えた台座に取付片を介して取り付けられ、
前記台座は、前記取付片が存する側が取付対象物に接着され、
前記取付片と前記取付対象物との間に介在部材が介在された、留め具の取付構造。
【請求項２】
請求項１記載の留め具の取付構造であって、
前記介在部材と前記取付対象物とを重ね合わせることにより構成される留め具の取付部分の硬さを、前記台座の硬さよりも硬く構成されていることを特徴とする留め具の取付構造。
【請求項３】
請求項１記載の留め具の取付構造であって、
前記介在部材と前記台座は同一の材料から作成されたことを特徴とする留め具の取付構造。
【請求項４】
請求項１から３のいずれか一項に記載の留め具の取付構造であって、
前記介在部材と前記台座とは一体成形され、両者間に設けられたヒンジ部で折り曲げ可能に構成されていることを特徴とする留め具の取付構造。
【発明の詳細な説明】
【技術分野】
【０００１】
この発明は、留め具の取付構造に関する。
【背景技術】
【０００２】
従来、雄留め具と雌留め具とから構成されるような２部材が着脱自在とされてなる留め具が知られている（以下、一方の部材を「雄留め具」、他方の部材を「雌留め具」と標記する。）。
また、留め具の中には、雄留め具と雌留め具がそれぞれ下面側に止着部としての脚部材が設けられ、当該脚部材を生地などの取付対象物に挿通した後、当該脚部材を折り曲げることで、雄留め具と雌留め具とを生地などに止着するように構成されたものがある（例えば特許文献１の段落番号「００３０」、図８参照）。
【先行技術文献】
【特許文献】
【０００３】
【特許文献１】特開平５−１８２８２２号公報
【発明の概要】
【発明が解決しようとする課題】
【０００４】
しかし、上記したような従来の留め具は、種々の問題点があった。
（１）ケースなどの取付対象物に直接留め具を止着すると、取付対象物を傷めるという問題点があった。
（２）特に、取付対象物が、弱い、柔らかい素材などにより構成されていると、取付対象物を傷めるだけではなく、留め具が取れてしまいかねないという問題点があった。
（３）取付対象物を二重にし、その一方に留め具を止着することがあるが、この場合、留め具が取り付けられていない側の取付対象物が、脚部材によって影響を受けるという問題点もあった。
例えば、二重構造にした取付対象物（本例においては一方を外側対象物、他方を内側対象物と表記する。）の内の内側対象物に留め具を取り付ける場合、当該留め具の脚部材を内側対象物に設けられたスリットを介して内側対象物と外側対象物の間に進入させる。その結果、外側対象物が脚部材に当接・圧迫され、内側対象物とは反対側に（外側に）膨らんでしまうという問題もある。
また、このように膨らむことでそもそも外側対象物が痛んでしまったり、外側対象物の内で当該膨らみの部分が他の部分と比べて他の物と当接しやすくなり傷つく可能性が高くなってしまうといった問題もある。
【０００５】
本発明は、上記のような問題点に鑑みなされたものである。
【課題を解決するための手段】
【０００６】
本発明に係る留め具の取付構造は、下面側に取付片を備えた留め具と、取付片を挿入可能なスリットを備えた台座とを備えている。
台座には、取付片を挿入後、当該取付片を折り畳んだ状態で、取付片を当該台座と挟むように折り返し可能な折り返し片を延設している。
これにより、取付片が留め具の取付対象物に直接当たらないようにすることができる。
また、折り畳まれた取付片の取付対象物への圧力を分散することができる。
【０００７】
また、台座は、当該台座の外縁のうち、折り返し片が延設されていない部分を留め具の取付対象物に接着するようにしている。
これにより、台座を取付対象物に接着した後に、折り返し片を折り返すことができる。
なお、台座を取付対象物に接着した後に、折り返し片を折り返す場合に限定されず、折り返し片を折り返した状態で、台座を取付対象物に接着しても良い。この場合には、台座の外縁を全て取付対象物に接着するようにしても良い。
【０００８】
留め具は、互いに対して留められるべき一対の取付対象物のうちの一方の取付対象物に取り付けられる第１の留め具と、他方の取付対象物に取り付けられる第２の留め具とから構成される。
【０００９】
また、第１の留め具と第２の留め具との何れか一方に磁石を備え、他方を強磁性体により構成する。
これにより、第１の留め具と第２の留め具との前面側同士が磁石の吸着力により接着され、例えばケース本体に対し蓋を留め付けることができる。
【００１０】
本発明に係るケースは、上面が開口された箱形のケース本体に、その上面開口部を開閉する蓋部が設けられている。
蓋部は、ケース本体に薄肉のヒンジを介して設けられた蓋本体と、当該蓋本体の自由端側に薄肉のヒンジを介して設けられたフラップ部とを備える。
【００１１】
留め具の一方は、フラップ部に、留め具の他方は、蓋部の閉状態において、留め具の一方がケース本体と接触するケース本体に設けられる。
また、各留め具に用いられる台座のうち、少なくとも一方の台座に折り返し片を備えている。
なお、取付片は、折り返し片を備えていないものでも良く、取付対象物に設けられたスリットに挿通されて取り付けられるものであれば良い。
【発明の効果】
【００１２】
本願各発明は、以上のように構成されているので、以下に記載されるような効果を奏する。
すなわち、本願各発明によれば、折り曲げられた取付片が直接取付対象物に当たらないようにすることで、取付対象物を傷めることがないようにすることができる。
また、台座の折り返し片を台座と別パーツにした場合に比べ、後で確認することを簡単にすることができる。すなわち、台座の横に折り返し片が出ている場合は、折り返し片が折り返されていないことが一目で分かるようにすることができる。
【図面の簡単な説明】
【００１３】
【図１】雄留め具と台座とを分離した状態を示す斜視図である。
【図２】雄留め具の取付片を台座の孔に挿入後、当該取付片を折り畳んだ状態を台座の背面側から見た底面図である。
【図３】図２の状態から、折り返し片を折り返した状態を示す底面図である。
【図４】雄留め具を台座に取り付けた状態の側面図である。
【図５】雌留め具と台座とを分離した状態を示す斜視図である。
【図６】雌留め具の取付片を台座の孔に挿入後、当該取付片を折り畳んだ状態を台座の背面側から見た底面図である。
【図７】図６の状態から、折り返し片を折り返した状態を示す底面図である。
【図８】雌留め具を台座に取り付けた状態の側面図である。
【図９】ケースの蓋を開いた状態を示す斜視図である。
【図１０】図９の雄留め具の部分を拡大した部分拡大図である。
【図１１】図９の雌留め具の部分を拡大した部分拡大図である。
【図１２】ケース本体を展開した状態を示す展開図である。
【図１３】図１０のＡ−Ａ線に沿う断面図である。
【図１４】図１１のＢ−Ｂ線に沿う断面図である。
【発明を実施するための形態】
【００１４】
本発明の実施例を、図面を用いて以下に説明する。
この実施例に係るケース10は、図９に示すように、大別すると、次のパーツを備える。
（１）ケース本体100
（２）留め具200,210
【００１５】
（ケース本体100）
ケース本体100は、図１２に示すように、例えば薄板状の合成樹脂素材をプレス裁断機などを用いて裁断した１枚の板状部材から形成されていて、図９及び図１２に示すように、板状部材の薄肉のヒンジH1〜H10の部分で折り合わせて、上面に開口部160を備える箱形に形成される。
【００１６】
ケース本体100は、図９及び図１２に示すように、次の各部を備える。
（１）前面材110
（２）後面材120
（３）左右の側面材130,140
（４）底面材150
（５）蓋部170
【００１７】
（前面材110）
前面材110には、図９及び図１２に示すように、ケース10内に収納された書類などを取り出しやすいように、前面材110の上端から斜めにカットされケース本体100の開口より低く形成された窪み111が形成されている。
また、前面材110には、図９に示すように、横方向に間隔をおいて２つの第１の留め具200を備えている。
なお、第１の留め具200については後述する
【００１８】
（後面材120）
後面材120は、図９及び図１２に示すように、前面材110に対向する位置に設けられる。
【００１９】
（左右の側面材130,140）
左右の側面材130,140は、図９及び図１２に示すように、ケース10内に収納する書類などの厚み方向に互いに対向するものである。
【００２０】
（蓋部170）
蓋部170は、ケース本体100の上面の開口部160を塞ぐものである。
蓋部170は、図９及び図１２に示すように、次のパーツを備える。
（１）蓋本体171
蓋本体171は、ケース本体100に薄肉のヒンジH9を介して設けられており、図９及び図１２に示すように、ケース10を持ち上げる際などに使用される取っ手（図示せず）が取り付けられる穴172が設けられている。
【００２１】
（２）フラップ部173
フラップ部173は、蓋本体171の自由端側に薄肉のヒンジH10を介して設けられており、図９に示すように、フラップ部173の自由端側の内側に、長手方向に間隔をおいて２つの第２の留め具210を備えている。
なお、第２の留め具210については後述する。
【００２２】
（留め具200,210）
留め具200,210は、第１の留め具（例えば雌留め具200）と第２の留め具（例えば雄留め具210）とから構成される。
第１の留め具（例えば雌留め具200）と第２の留め具（例えば雄留め具210）の何れか一方に磁石を備え、強磁性体により形成された他方の留め具と吸着することにより、それぞれの留め具が取り付けられた取付対象物を留め付けるようにされている。
なお、留め具は、雌留め具200と雄留め具210とから形成されるものに限定されず、鍵式の留め具や、フック式の留め具などであっても良い。
【００２３】
（雌留め具200）
雌留め具200は、図９に示すように、蓋部170の閉状態において、雄留め具210がケース本体100と接する前面材110に設けられ、円盤状の強磁性体から構成される。
【００２４】
雌留め具200には、図５及び図８に示すように、次の各部を備える。
（１）磁石
磁石は、図示しないが、雌留め具200の内部に設けられ、例えば、磁極方向に亘って孔を有するドーナツ状に形成される。
【００２５】
（２）孔201
孔201は、図５及び図８に示すように、円盤状の雌留め具200の中心部分に設けられ、磁石の孔に連通するように形成される。
なお、孔201には、後述する雄留め具210の突起211が挿入される。
【００２６】
（３）取付片202
取付片202は、図５及び図８に示すように、２本設けられ、円盤状の雌留め具200の下面側から略直角に延び、雌留め具200を台座300に固定するためのものである。
具体的には、取付片202は、台座本体310に形成されたスリット311に挿通後、図６に示すように、外側に雌留め具200の下面に沿って約９０度折り畳まれることで、雌留め具200を台座300に固定するように形成されている。
【００２７】
（雄留め具210）
雄留め具210は、図９に示すように、蓋部170のフラップ部173の内側面に設けられ、円盤状の強磁性体から構成される。
【００２８】
雄留め具210には、図１及び図４に示すように、次の各部を備える。
（１）突起211
突起211は、強磁性体から構成され、雌留め具200の孔201に挿入され、雌留め具200との吸着を高めるものである。
具体的には、突起211は、図１及び図４に示すように、雌留め具200の孔201の径よりも小さく、孔201の深さよりも短い円柱形に形成される。
【００２９】
（２）取付片212
取付片212は、図１及び図４に示すように、２本設けられ、円盤状の雄留め具210の下面側から略直角に延び、雄留め具210を台座300に固定するためのものである。
具体的には、取付片212は、台座本体310に形成されたスリット311に挿通後、図２に示すように、内側に雄留め具210の下面に沿って約９０度折り畳まれることで、雄留め具210を台座300に固定するように形成されている。
【００３０】
（台座300）
台座300は、図１及び図５に示すように、ケース本体100よりも柔らかい部材、例えばポリプロピレンなどによりシート状に形成され、留め具200,210をケースやカバンなどの取付対象物に取り付けるためのものである。
【００３１】
台座300には、図１及び図５に示すように、次のパーツを備える。
（１）台座本体310
台座本体310は、台座300の留め具200,210の下側に位置する部分であって、図１に示すように、円形に形成される。
なお、本実施の形態では、台座本体310を円形に形成したが、円形以外の多角形であっても良い。
【００３２】
また、台座本体310には、図１及び図５に示すように、留め具200,210の取付片202,212を挿入可能なスリット311を備える。スリット311は、取付片202,212と同じ数である２本設けられている。
【００３３】
（２）折り返し片320
折り返し片320は、介在部材の一例であり、図１及び図５に示すように、台座本体310の外縁から台座本体310に延設され、台座本体310と一体的に形成される。
【００３４】
また、折り返し片320は、図２及び図６に示す状態から、図３及び図７に示す状態に、台座本体310の外縁に設けられた薄肉のヒンジを介して台座本体310側に折り返されて、台座本体310と重なることで、折り畳まれた取付片202,212を台座本体310と挟むように構成されている。
具体的には、図４及び図８に示すように、台座本体310と折り返し片320により、折り畳まれた取付片202,212を挟み込み、取付片202,212が取付対象物であるケース本体100の前面材110及び蓋部170のフラップ部173に直接当たらないように構成されている。
なお、本実施の形態では、折り返し片320の形状を台座本体310の形状に合わせて円形に形成したが、台座本体310の形状に合わせることなく、円形以外の多角形であっても良い。
【００３５】
（留め具200,210の取付方法）
スリット311に取付片202,212を挿通後、取付片202,212を、図２に示すように、内側に折り曲げる。
なお、図６に示すように、取付片202を外側に折り曲げても良い。内側に折り曲げた場合は、図４に示すように取付片212同士が重なり、外側に折り曲げた場合に比べ厚みを増してしまうが、外側に折り曲げた場合は、図８に示すように折り曲げた取付片202が留め具200からはみ出し、特に台座300が透明又は半透明の素材で構成された場合は見た目が良くないという問題点があるため、特に取付片212を内側に折り曲げる場合に、本発明に係る折り返し片320を備えた台座300を使用する利点がある。
【００３６】
折り返し片320を、図３及び図７に示すように、台座本体310側に折り曲げる。
その後、図１０及び図１１、図１３及び図１４に示すように、台座本体310の外縁の折り返し片320を除いた部分をケース本体100やフラップ部173に超音波溶着などにより接着する。
【００３７】
（ケース本体100の組み立て方法の説明）
つぎに、図１０を用いて、ケース本体100の組み立て方法を説明する。
ケース本体100は、４つの側壁部分を構成する前面材110、後面材120、及び左右の側面材130,140と、底面材150、蓋部170が、図１０に示すように、薄肉のヒンジH1〜H8の部分より折り合わされて上面に開口部160を備える箱形に形成される。また、蓋部170の蓋本体171は、後面材120の上辺に薄肉のヒンジH9を介して設けられ、当該開口部160を塞ぐように形成されている。
【００３８】
ケース本体100の後面材120の両側には、図１０に示すように、左右の側面材130,140との接続片121が薄肉のヒンジH7,H8を介してそれぞれ設けられている。接続片121は、ケース本体100の折り合わせ時に、ケース本体100の内側へ折り込まれて、左右の側面材130,140の内側と超音波溶着などにより一体化される。
【００３９】
また、ケース本体100の底面材150の両側には、図１０に示すように、左右の側面材130,140との接続片151が薄肉のヒンジH5,H6を介してそれぞれ設けられている。接続片151は、ケース本体100の折り合わせ時に、ケース本体100の内側へ後面材120の接続片121と隣り合うように折り込まれて、左右の側面材130,140の内側と超音波溶着などにより一体化される。
【００４０】
このように、左右の側面材130,140と超音波溶着される接続片121,151を後面材120と底面材150とに分けて設けることにより、ケース本体100を補強するように構成されている。
【００４１】
（Ａ）このように、上記実施形態の留め具200,210は、取付対象物に取り付けられた際、取付片202,212と取付対象物との間に介在部材としての折り返し片320が介在するため、取付片202,212による取付対象物の押し込み（上記膨らみ）を緩和することができる。すなわち、脚部材たる取付片202,212が取付対象物に直接当接する場合と比べ、取付片202,212側と取付対象物側との当接面積が広くなるため、取付片202,212側から取付対象物への圧力が分散され、膨らみの問題を解消・緩和できる。
また、折り畳まれた取付片202,212から取付対象物であるケース本体100の前面材110及び蓋部170のフラップ部173にかかる圧力を、折り返し片320全体に拡散することにより、留め具200,210が設けられたケース本体100の前面材110及び蓋部170のフラップ部173の裏側部分のみが取付対象物の他所に比べて極端に膨らむことを防止することができる。
【００４２】
（Ｂ）台座300を取付対象物よりも柔らかい部材（折れ曲がり性の高い部材、同一素材の場合には薄い部材）で構成することで、台座300を取付対象物に取り付ける際、取付片202,212の高さ（厚み）を台座300で吸収する（図１３及び図１４に示すように、台座300を撓ませて取付対象物に取り付ける）ことが可能となる。
【００４３】
（Ｃ）折り返し片320と台座本体310とを同一部材で構成することで（上記実施形態においては一体形成することで）、取付対象物側の厚みは取付対象物及び折り返し片320が重畳された厚みとなるため、台座本体310側は取付対象物側よりも確実に柔らかくなる。従って、上記（Ｂ）の作用・効果を得ることができるだけでなく、取付対象物の硬さを台座320との関係で硬くするなどの調整をする必要がなくなる。
【００４４】
（Ｄ）脚部材たる取付片202,212と取付部材との間に部材（上記実施形態では折り返し片320）を介在させる。そして、この部材と取付対象物とを重ね合わせることにより構成される留め具の取付部分の硬さ（折れ曲がり易さ）が台座本体310の硬さよりも硬くなるように調製すれば、上記（Ｃ）と同等の作用・効果を奏する。すなわち、膨らみの問題を緩和・解消するために取付対象物の構成・素材等を変更する必要がなくなり、取付対象物（本実施形態においてはケース100）の設計自由度が高まる。
【００４５】
（Ｅ）折り返し片320を台座本体310と一体とし、両者間のヒンジ部で折り曲げた状態で取付対象物に取り付けることで、折り返し片320と台座本体310とは互いに離れようとする。従って、上記（Ｃ）の作用・効果（台座本体310側が取付対象物側よりも外部に膨らみやすい作用・効果）をより強めることが可能となる。
【００４６】
（Ｆ）上記実施形態においては、取付片202,212と取付対象物との間に介在させる部材（折り返し片320）を、台座本体310と一体に形成している。そのため、製造工程においてこの部材（折り返し片320）を供給し忘れてしまうということを防止できる。
【００４７】
（Ｇ）上記実施形態においては、取付片202,212と取付対象物との間に介在させる折り返し片320が台座本体310と一体形成されているため、台座本体310を取付対象物に取り付けた際に折り返し片320が外部に出ていれば製造不良であるということを簡単に目視で確認することができる。すなわち、留め具200,210を取付対象物に止着した後に、折り返し片320がしっかりと装着されているか否かを後で確認する際に、台座本体310の外縁から折り返し片320がはみ出しているか否かを確認するだけで済み、折り返し片320を台座300とは別パーツにした場合に比べ、商品の検査を簡単に済ますことができる。
【００４８】
上記実施形態には、少なくとも下記技術的思想が流れている。
（ｉ）留め具の取付構造は、下面側に取付片202,212を備えた留め具200,210と、取付片202,212を挿入可能なスリット311を備えた台座300とを備えている。
台座300には、取付片202,212を挿入後、当該取付片202,212を折り畳んだ状態で、取付片202,212を当該台座300と挟むように折り返し可能な折り返し片320を延設している。
【００４９】
これにより、取付片202,212が留め具200,210の取付対象物に直接当たらないようにすることができる。
また、折り畳まれた取付片202,212の取付対象物への圧力を分散することができる。
【００５０】
（ｉｉ）台座300は、当該台座300の外縁のうち、折り返し片320が延設されていない部分を留め具200,210の取付対象物に接着するようにしている。
【００５１】
これにより、台座300を取付対象物に接着した後に、折り返し片320を折り返すことができる。
なお、台座300を取付対象物に接着した後に、折り返し片320を折り返す場合に限定されず、折り返し片320を折り返した状態で、台座300を取付対象物に接着しても良い。この場合には、台座300の外縁を全て取付対象物に接着するようにしても良い。
【００５２】
（ｉｉｉ）留め具200,210は、互いに対して留められるべき一対の取付対象物のうちの一方の取付対象物に取り付けられる第１の留め具（例えば雌留め具200）と、他方の取付対象物に取り付けられる第２の留め具（例えば雄留め具210）とから構成される。
【００５３】
（ｉＶ）また、第１の留め具（例えば雌留め具200）と第２の留め具（例えば雄留め具210）との何れか一方に磁石を備え、他方を強磁性体により構成する。
【００５４】
これにより、第１の留め具（例えば雌留め具200）と第２の留め具（例えば雄留め具210）との前面側同士が磁石の吸着力により接着され、例えばケース本体100に対し蓋部170を留め付けることができる。
【００５５】
（Ｖ）ケース10は、上面が開口された箱形のケース本体100に、その上面開口部160を開閉する蓋部170が設けられている。
蓋部170は、ケース本体100に薄肉のヒンジH9を介して設けられた蓋本体171と、当該蓋本体171の自由端側に薄肉のヒンジH10を介して設けられたフラップ部173とを備える。
留め具の一方（例えば雄留め具210）は、フラップ部173に、留め具の他方（例えば雌留め具200）は、蓋部170の閉状態において、留め具の一方（例えば雄留め具210）がケース本体100と接触するケース本体100に設けられる。
また、各留め具200,210に用いられる台座300のうち、少なくとも一方の台座300に折り返し片320を備えている。
【符号の説明】
【００５６】
10  ケース                      100  ケース本体
110  前面材                      111  窪み
120  後面材                      121  接続片
130  左側面材                    140  右側面材
150  底面材                      151  接続片
160  開口部                      170  蓋部
171  蓋本体                      172  穴
173  フラップ部                  200  雌留め具
201  孔                          202  取付片
210  雄留め具                    211  突起211
212  取付片
300  台座                        310  台座本体
311  スリット                    320  折り返し片
H1〜H10  ヒンジ
【図１】
2010284178.tif 000003
【図２】
2010284178.tif 000004
【図３】
2010284178.tif 000005
【図４】
2010284178.tif 000006
【図５】
2010284178.tif 000007
【図６】
2010284178.tif 000008
【図７】
2010284178.tif 000009
【図８】
2010284178.tif 000010
【図９】
2010284178.tif 000011
【図１０】
2010284178.tif 000012
【図１１】
2010284178.tif 000013
【図１２】
2010284178.tif 000014
【図１３】
2010284178.tif 000015
【図１４】
2010284178.tif 000016